(57)【要約】【課題】  機構板には遊技領域に打込まれた遊技球を集合させる打込み球集合樋と、上球皿から溢れる景品球を下球皿にオーバーフローさせるためのオーバーフロー樋が設けられているが、従来は打ち込み球集合樋とオーバーフロー樋が立体的に交差するようになっていて機裏側への出っ張りが大きい問題点があった。【解決手段】  遊技板１０の下辺に当接し且つ表面が遊技板１０と面一になるように前枠２側に取付けられ表側に発射レールを設けてなる球発射基盤１９と、遊技板１０の遊技領域に打込まれた遊技球を集合させる打込み球集合樋２２とを有する弾球遊技機において、前記打込み球集合樋２２を球発射基盤１９の裏側に形成すると共に打込み球集合樋２２の球流路２２ｓの奥端（遊技板１０の表面に近い側）の位置を遊技板１０の後面より前寄りに設定してなる。【選択図】        図１
2011115619.tif 000002
【特許請求の範囲】
【請求項１】
遊技板の下辺に当接し且つ表面が遊技板と面一になるように前枠側に取り付けられ表側に少なくとも発射レールを設けてなる球発射基盤と、
遊技板の遊技領域に打ち込まれた遊技球を集合させる打込み球集合樋と、を有する弾球遊技機において、
前記打込み球集合樋を球発射基盤の裏側に形成すると共に打込み球集合樋の球流路の奥端（遊技板の表面に近い側）の位置を遊技板の後面より前寄りに設定してなることを特徴とする弾球遊技機。
【発明の詳細な説明】
【技術分野】
【０００１】
本発明は、パチンコ機、雀球遊技機など、遊技球を発射して遊技を行う弾球遊技機に関する。
【背景技術】
【０００２】
例えばパチンコ機は、外枠の前面に前枠がありその前枠に遊技板が嵌め込まれている。そして前枠には、遊技板の下辺を支えるように球発射基盤が形成されている。この球発射基盤は、通常、遊技板とほぼ同じ厚さに形成されていて表面が遊技板と面一になっており、その表面に遊技球を打ち出すための発射レールが取り付けられている。
【０００３】
一方、前枠の裏側には遊技板と球発射基盤の裏面をカバーするように機構板が取り付けられている。周知のように機構板には、遊技球を貯める球タンクと、遊技球を景品球や貸球として放出する球放出装置と、球放出装置から放出された遊技球を上球皿に導く球放出樋と、遊技板の遊技領域に打ち込まれた遊技球を集合させる打込み球集合樋と、上球皿から溢れる景品球を下球皿にオーバーフローさせるためのオーバーフロー樋など多数の部品が集約設置されている。
【発明の概要】
【発明が解決しようとする課題】
【０００４】
前記機構板は、打ち込み球集合樋とオーバーフロー樋が立体的に交差するようになっていて、パチンコ機の裏側への出っ張りが大きい問題点があった。
【課題を解決するための手段】
【０００５】
遊技板の下辺に当接し且つ表面が遊技板と面一になるように前枠側に取り付けられ表側に少なくとも発射レールを設けてなる球発射基盤と、遊技板の遊技領域に打ち込まれた遊技球を集合させる打込み球集合樋と、を有する弾球遊技機において、前記打込み球集合樋を球発射基盤の裏側に形成すると共に打込み球集合樋の球流路の奥端（遊技板の表面に近い側）の位置を遊技板の後面より前寄りに設定してなる弾球遊技機を提供する。
【０００６】
この弾球遊技機は、球発射基盤の裏側に打込み球集合樋を形成して球流路の奥端の位置を遊技板の後面より前寄りに設定したため、打込み球集合樋の裏側への出っ張りを少なくすることができる。また、打込み球集合樋を球発射基盤に設けたため、打込み球集合樋に貯まるセーフ球の重量を球発射基盤を介して前枠が分担することになり、その分機構板に掛かる負担が軽くなる。
【発明の効果】
【０００７】
本発明の弾球遊技機は、球発射基盤の裏側に打込み球集合樋を形成して球流路の奥端の位置を遊技板の後面より前寄りに設定したため、打込み球集合樋の裏側への出っ張りを少なくすることができる。従って打込み球集合樋の後側のスペースを有効に活用することができる。また、打込み球集合樋を球発射基盤に設けたため、打込み球集合樋に貯まるセーフ球の重量を球発射基盤を介して前枠が分担することになり、その分機構板に掛かる負担を軽くすることができる。
【図面の簡単な説明】
【０００８】
【図１】パチンコ機の下半部を示す中央縦断面図である。
【図２】パチンコ機の正面図である。
【図３】パチンコ機の裏面図である。
【図４】パチンコ機の側面図である。
【図５】ガラス扉枠を開いて示すパチンコ機下半部の正面図である。
【図６】セット基盤を外して示すパチンコ機下半部の背面図である。
【図７】図５のＸ−Ｘ線断面図である。
【図８】ガラス扉枠を開いた状態を示す図５のＸ−Ｘ線断面図である。
【図９】図５のＹ−Ｙ線断面図である。
【発明を実施するための形態】
【０００９】
以下に本発明の実施の形態を弾球遊技機たるパチンコ機を例に図面を参照しつつ説明する。なお、図１はパチンコ機の下半部を示す中央縦断面図、図２はパチンコ機の正面図、図３はパチンコ機の裏面図、図４はパチンコ機の側面図、図５はガラス扉枠を開いて示すパチンコ機下半部の正面図、図６はセット基盤を外して示すパチンコ機下半部の背面図、図７は図５のＸ−Ｘ線断面図、図８はガラス扉枠を開いた状態を示す図５のＸ−Ｘ線断面図、図９は図５のＹ−Ｙ線断面図である。
【００１０】
パチンコ機は、縦長長方形の枠形態である外枠１に、片開きドア状に開閉自在なように前枠２を蝶着してなる。前枠２は合成樹脂製であって、その前面に片開きドア状に開閉自在なようにガラス扉枠３が軸着されており、また、そのガラス扉枠３より下の位置に灰皿付きの下球皿４と操作ハンドル５が設けられている。前記ガラス扉枠３の前面下部には上球皿６と球貸用入出力装置７が形成されている。この球貸用入出力装置７は、プリペイドカード式の台間球貸機（図示せず）に購入金額等を入力する入力ボタン８，８と、その台間球貸機から出力された残額等の情報を表示するデジタル式の表示部９とからなる。
【００１１】
一方、前枠２には遊技板１０が着脱自在に装着され、また、前枠２の裏面には片開きドア状に開閉自在なように機構板１１が取り付けられている。この機構板１１には、上から順に遊技球を貯める球タンク１２と、球タンク１２の遊技球を流下させる導出樋１３と、遊技球の球圧を分散させるカーブ樋１４と、景品球と貸球を放出する独立した二つの球放出装置１５と、球放出装置１５から放出された遊技球を導く球放出樋１６と、球タンク１２の遊技球をカーブ樋１４から抜き取る球抜き樋１７が設けられている。
【００１２】
なお、従来の機構板は、球放出樋が上球皿に直接繋がっていて貯まった遊技球の重量をもろに受ける構造になっていたが、本発明の機構板１１は球放出樋１６の下端を開放された底無し状態とし、上球皿６に対して後述する連絡樋１８を介して間接的に連通させるようにしてある。これによって球放出樋１６に遊技球の重量が加わらなくなるから機構板１１に掛かる負担が軽くなる。
【００１３】
また、前枠２には遊技球を遊技板１０の遊技領域に打ち出すための球発射基盤１９が設けられている。この球発射基盤１９は前枠２の固定部品であって、遊技板１０の下辺に当接してそれを下支えし且つ表面が遊技板１０と面一になるように前枠２に取り付けられており、遊技球を打ち出す発射レール２０とオーバーフロー樋２１が表側に設けられ、また、遊技領域に打ち出した遊技球を集合させて排出する打込み球集合樋２２が裏側に設けられている。
【００１４】
前記球発射基盤１９の裏側には、図３において右端をヒンジ中心として回動し且つ他端を着脱自在な公知のボタン型パネルファスナー２３（商品名「ナイラッチ：登録商標」）で固定したカバー形態のセット基盤２４が被さっている。なお、セット基盤２４には、表裏両面に複数の制御基盤２５，２５…が設置される。
【００１５】
このセット基盤２４と球発射基盤１９の図３において右上コーナー部分には、機構板１１の球放出樋１６の下端開口に連通する連絡樋１８が形成されている。この連絡樋１８は、前記球放出樋１６の直下に対応する部分が仕切板２６によりメイン通路１８ａとサブ通路１８ｂの二つに分けられており、メイン通路１８ａが上球皿６に連通し、サブ通路１８ｂがオーバーフロー樋２１に連通する。
【００１６】
オーバーフロー樋２１は上球皿６に入りきらない景品球を下球皿４に導くためのもので、前記のように球発射基盤１９の表側、つまり球発射基盤１９とガラス扉枠３の間のスペースに形成され、上が前記連絡樋１８のサブ通路１８ｂに、また、下が下球皿４の放出口２７に繋がっている。
【００１７】
前記打込み球集合樋２２は遊技領域に打ち込まれた遊技球（セーフ球とアウト球）を集合させて排出するためのものであって、球発射基盤１９の裏側に形成され且つ前記セット基盤２４によって覆われている。球発射基盤１９は厚さ３ｍｍ前後の樹脂基盤に適宜補強リブを設けて剛性を高めたパネル構造であって板厚約１９ｍｍ程度の遊技板１０より薄いから、球発射基盤１９の裏側に形成した打込み球集合樋２２は、球流路２２ｓの奥端（遊技板１０の表面に近い側）の位置が遊技板１０の後面より前寄りになる。
【００１８】
なお、遊技領域に打ち込まれた遊技球のうち、入賞したいわゆるセーフ球は、入賞口ごとに設けた球検出器（図示せず）を作動させて入賞信号を発した後、図１に示したように遊技板１０の裏面に固定した案内壁１０ａに沿って落下する。そして打込み球集合樋２２の上の開口部は、そのようなセーフ球を誘導すべく遊技板１０の後面より後ろに突出した位置にある。
【００１９】
その他、図中符号２８はセット基盤２４と球発射基盤１９の上部であって前記連絡樋１８の横に設けた球抜き樋１７用の連絡樋であり、球抜きされた遊技球が連絡樋２８を介して打込み球集合樋２２に合流する。
【００２０】
また、連絡樋１８のメイン通路１８ａには出口１８ｃの直前にオーバーフロー樋２１に通じるバイパス孔２９が形成されており、そのバイパス孔２９とメイン通路１８ａの出口１８ｃを択一的に開閉する弁部材３０がメイン通路１８ａの出口１８ｃの下側に軸着されている。この弁部材３０はバネなどの付勢手段（図示せず）によってメイン通路１８ａの出口１８ｃを閉じる起立方向に跳ね上がるようになっており、上球皿６の後側に突出する受皿部材６ａに押し倒され、その受皿部材６ａと共にバイパス孔２９を閉じる。
【００２１】
次に本発明の弾球遊技機の動作について遊技球の流れを中心に説明する。先ず、台間球貸機にプリペイドカードを入れ、使用金額を入力ボタン８で入力すると、その金額分の遊技球が一方の球放出装置１５から放出される。そして放出された遊技球は球放出樋１６、連絡樋１８のメイン通路１８ａ、受皿部材６ａを通って上球皿６に貯まる。この状態で操作ハンドル５を操作すると打球発射装置３１が作動して発射レール２０から遊技球を一個ずつ遊技領域に向けて打ち出す。
【００２２】
遊技領域には入賞装置３２が設けられていてそこに入った遊技球は前記のように球検出器によってセーフ球として認識され遊技板１０の裏側を案内壁１０ａに沿って落下する。このセーフ球の発生により一方の球放出装置１５が作動して遊技球が景品球として放出され、その景品球は球放出樋１６、連絡樋１８のメイン通路１８ａ、受皿部材６ａを通って上球皿６に貯まる。なお、球放出装置１５から放出された景品球がメイン通路１８ａに確実に流入するのは、図３に示したように球放出樋１６の流路がメイン通路１８ａに向けて傾斜しているためである。また、ここまでの説明で明らかなように実施形態の弾球遊技機は、個々の入賞口でセーフ球を検知して球放出装置１５を作動させるようにしたため、従来の弾球遊技機（主として機構板）に設けられていたセーフ球処理装置が不要である。
【００２３】
次に景品球の放出が続いて上球皿６が景品球で満杯になると連絡樋１８のメイン通路１８ａも景品球で満たされる。その状態でさらに景品球が放出されると、メイン通路１８ａに入れない景品球が空いているサブ通路１８ｂに入り、そこからオーバーフロー樋２１を通って下球皿４に貯まる。
【００２４】
ところでガラス扉枠３は、遊技中に開閉する可能性があるが、実施形態のようにガラス扉枠３と上球皿６が一体になっていると、ガラス扉枠３を開くことによって上球皿６と連絡樋１８が引き離され、連絡樋１８に残っている景品球が外部に零れ落ちる問題点がある。この問題に対し本発明は次のようなメカニズムで景品球の零れ落ちを防止している。
【００２５】
すなわち図８のようにガラス扉枠３が開いて上球皿６が移動するとそれと一体の受皿部材６ａも移動し、それに連れて弁部材３０が跳ね上がるからメイン通路１８ａの出口１８ｃが閉じてバイパス孔２９が開く。そうするとメイン通路１８ａに残された残留分の景品球は跳ね上がった弁部材３０に衝突してバイパス孔２９に落下し、そのままオーバーフロー樋２１に流れ込む。従って外部に零れない。また、ガラス扉枠３を閉じる場合も、メイン通路１８ａに景品球がなくて弁部材３０の回動も妨げられないため、受皿部材６ａが弁部材３０を倒して図７の状態に戻る。
【００２６】
なお、以上の動作をさらに確実にするには、オーバーフロー樋２１にメイン通路１８ａの残留分の景品球が入る空きスペースが常に確保されているようにする必要がある。もしそのような空きスペースのない状態が発生するとすれば、ガラス扉枠３を開いたときにメイン通路１８ａの景品球がオーバーフロー樋２１に流れずそのまま残るから、たとえ弁部材３０が起立して景品球が外部に零れなかったとしても、ガラス扉枠３を閉じるときに弁部材３０が景品球に当たって動かなくなり、結局ガラス扉枠３が閉じられない、という障害が発生する。
【００２７】
そこで図５に示したようにオーバーフロー樋２１の途中に球量検知センサーとして近接スイッチ３３を設け、メイン通路１８ａの景品球分の空きスペースがオーバーフロー樋２１に確保されるようにオーバーフロー樋２１に貯まる景品球のレベルを規制するとよい。具体的には、近接スイッチ３３の信号を受けて打球発射装置３１又は球放出装置１５を停止させる等して下球皿４の景品球を抜き出さざるを得ない状態にする。そうすることによりオーバーフロー樋２１に常に必要十分な空きスペースが確保されるから、いつガラス扉枠３を開いてもメイン通路１８ａにある景品球がオーバーフロー樋２１に流れて零れず、また、ガラス扉枠３も確実に閉じることができる。また、前記球量検知センサーは、オーバーフロー樋２１に必要十分な空きスペースを確保するためのものであるから、図５のポイントが上限であるとするなら、そのポイントと下球皿４の放出口２７の間のどこに設けてもよい。
【００２８】
なお、上記構成は、「上球皿６と下球皿４をオーバーフロー樋２１で連結すると共に上球皿６が満杯になった状態でさらに供給されるパチンコ球をオーバーフロー樋２１から下球皿４に導くようになし、上球皿６を引き離す動作に伴ってパチンコ球の流路をオーバーフロー樋２１側に自動的に切り替える切替手段（弁部材３０）を設け、その切替手段の作動領域の一部又は全部がオーバーフロー樋２１の中にあるようになっている弾球遊技機であって、前記オーバーフロー樋２１に貯留可能なパチンコ球のレベルを、上球皿６がオーバーフロー状態にあって前記切替手段が作動したとき上球皿６から切り離されてオーバーフロー樋２１に流れ込む残留分を受け入れてなお切替手段の作動領域が確保されるように制限するようにした弾球遊技機。」という発明の実施形態に相当する。この発明はガラス扉枠３と上球皿６が一体である場合の他、ガラス扉枠３の下に独立開閉自在な前面板（図示せず）を形成し、その前面板に上球皿６を設けた従来型の弾球遊技機にも適用可能である。また、切替手段の付勢手段は、上記したバネのような弾性部材の他、ソレノイドやモーターのような電気的駆動源を用いてもよい。
【００２９】
しかして前記セーフ球は遊技板１０の裏面に沿って落下し、打込み球集合樋２２に集められて弾球遊技機の機裏側へと排出される。また、遊技領域に打ち込まれて入賞しなかった遊技球はアウト球口３４に入ってアウト球となり、遊技板１０の底から抜け落ちて打込み球集合樋２２に集められ、セーフ球と同じく弾球遊技機の機裏側に排出される。
【００３０】
以上本発明を実施の形態について説明したが、もちろん本発明は上記実施形態に限定されるものではない。例えば実施形態では打込み球集合樋２２にセーフ球とアウト球を合流させるようにしたが、打込み球集合樋２２をセーフ球専用に設定し、アウト球を別のルートで排出させるようにしてもよい。
【００３１】
なお、上記実施形態にはさらに次のような発明が含まれている。
（１）アウト球の排出経路を前枠２に形成し、そのアウト球を機構板１１を介することなく機外に排出するようにした弾球遊技機。この発明は、アウト球の排出経路が設けられていて構造が複雑であった従来の機構板に対し、構造が簡略化できる効果がある。
（２）セーフ球の排出経路を前枠２に形成し、そのセーフ球を機構板１１を介することなく機外に排出するようにした弾球遊技機。この発明は、セーフ球の排出経路が設けられていて構造が複雑であった従来の機構板に対し、構造が簡略化できる効果がある。
（３）アウト球とセーフ球を集合させる排出経路を前枠２に形成し、そのアウト球とセーフ球を機構板１１を介することなく機外に排出するようにした弾球遊技機。この発明は、アウト球とセーフ球の排出経路がそれぞれ設けられていて構造が複雑であった従来の機構板に対し、構造が簡略化できる効果がある。
（４）景品球及び／又は遊技球を上球皿６と下球皿４に導くための流路を前枠２に形成した弾球遊技機。この発明は、景品球及び／又は遊技球を上球皿６と下球皿４に導くための流路が設けられていて構造が複雑であった従来の機構板に対し、構造が簡略化でき、しかも機構板に景品球及び／又は遊技球の球圧が殆ど加わらない効果がある。
（５）遊技板１０の裏面にセーフ球を下方に案内する案内壁１０ａを固定し、この案内壁１０ａを前枠２に形成した打込み球集合樋２２に連通させ、セーフ球を案内壁１０ａから打込み球集合樋２２に導くことによって機構板１１を介することなく機外に排出させるようにした弾球遊技機。この発明は、打込み球集合樋が設けられていて構造が複雑であった従来の機構板に対し、構造が簡略化できる効果がある。
（６）打込み球集合樋２２とオーバーフロー樋２１など従来型機構板の下半部に設けられていた球流路を前枠２に形成することにより機構板１１の下半部を嵩上げし、それによって空いた前枠２の裏側スペースに制御基盤２５，２５…装着用のセット基盤２４を独立設置してなる弾球遊技機。この弾球遊技機は、従来型機構板に取り付けられていた複数の制御基盤２５，２５…を、機構板１１とは別体であるセット基盤２４に集約させることができるため、機構板１１から制御基盤２５，２５…の電気コード類をなくすることができる。その結果、機構板１１を開閉するに際して制御基盤２５，２５…の電気コード類を着脱する必要がなくなるから、機構板１１を開放して行う遊技板１０の点検作業が効率よく行える。また、機構板１１を開放するだけで遊技板１０の着脱が行えるため、遊技板１０の交換作業も効率よく行える。なお、セット基盤２４の上端の位置が遊技板１０の下端の位置より若干高くても、セット基盤２４と遊技板１０の間に適度な空間があれば、例えば建具の戸板を着脱するごとく、遊技板１０を傾けつつ下端を先に差し入れてから上端を嵌める、という要領で着脱することは可能であるが、好ましくは、セット基盤２４の上端の位置を遊技板１０の下端の位置より低くなるように設定しておくのがよい。そうすることにより遊技板１０を真っ直ぐに立てた状態で着脱することができるからなお一層作業性が向上する。
また、セット基盤２４を球流路や機構板１１から独立設置した結果、制御基盤２５，２５…と球流路の間に適度な空間（好ましくは２.５ｃｍ〜３.０ｃｍ）を設けることが可能になり、そうするだけで遊技球同士の衝突等で発生するノイズの影響から制御基盤２５，２５…を保護することができる。ちなみに従来は、制御基盤２５，２５…が機構板１１に直付けされていて球流路と板厚約２ｍｍの壁を隔てて隣り合わせになっていたから、遊技球同士の衝突等により発生するノイズの影響を受けて制御基盤２５，２５…が誤作動を起こす不具合があった。
【符号の説明】
【００３２】
２  …前枠
４  …下球皿
６  …上球皿
１０…遊技板
１９…球発射基盤
２０…発射レール
２１…オーバーフロー樋
２２…打込み球集合樋
２２ｓ…球流路
【図１】
2011115619.tif 000003
【図２】
2011115619.tif 000004
【図３】
2011115619.tif 000005
【図４】
2011115619.tif 000006
【図５】
2011115619.tif 000007
【図６】
2011115619.tif 000008
【図７】
2011115619.tif 000009
【図８】
2011115619.tif 000010
【図９】
2011115619.tif 000011